(57)【特許請求の範囲】
【請求項１】
シートバックにヘッドレストを設けたシートにおいて、
前記シートバックの頂部における前記ヘッドレストにより隠れる位置であってシートバックの背面頂部より前方且つ離間位置に埋設された凹状部を有する成形容体状の指先挿入体と、
前記シートバックの背面と前記指先挿入体との間に設けたグリップ部と、
前記ヘッドレストにおける前記指先挿入体の上方に位置する部分に、形成されて前記指先挿入体の前記凹状部の開口部を露出する切欠き部と
を有することを特徴とするシート。
【請求項２】
前記切欠き部は、前記ヘッドレストの背面であって下面の開口した横断面略凹形状であることを特徴とする請求項１記載のシート。
【請求項３】
前記指先挿入体は、縫合連結の可能な軟質素材から容体状に成形されており、前記凹状部の前記開口部の周縁に形成された連結部は、前記シートバックのトリムカバーに設けられた前記指先挿入体埋設用取付孔の周縁に縫着することにより、前記トリムカバーに連結されていることを特徴とする請求項１又は２記載のシート。
【発明の詳細な説明】
【技術分野】
【０００１】
本発明は、乗員の乗り降りの際に利用可能なアシストグリップとしての機能を備えたシートバックを有するシートに関するものである。
【背景技術】
【０００２】
従来、このような分野の技術として、実開平４−３５９３３号公報がある。この公報に記載されたシートに設けられる樹脂製のアシストグリップは、ヘッドレストの下面とシートバックの頂面との間に配置される本体部と、この本体部から下方に垂下した一対の保持筒部と、本体部の背面から後方に突出したグリップ部と、からなる。また、この保持筒部は、シートバックフレームの上部に固定された筒部内に挿入されると共に、ヘッドレストから延出されたステーを差し込むためのステー挿入孔を有している。このようなアシストグリップは、乗員の乗り降りの際に利用可能なグリップ機能と、ヘッドレストのステーを保持する機能とを両立させることができる。
【先行技術文献】
【特許文献】
【０００３】
【特許文献１】実開平４−３５９３３号公報。
【発明の概要】
【発明が解決しようとする課題】
【０００４】
しかしながら、前述した従来のシートに設けられているアシストグリップのグリップ部は、乗員の乗り降りの際に利用に供するためにシートバックの背面から突出させる必要があり、前席と後席との間の移動の障害になるといった問題点がある。
【０００５】
本発明は、前席と後席との間の移動の障害になることがないアシストグリップの実現と、物を入れるためのポケット機能と、を兼ね備えたシートを提供することを目的とする。
【課題を解決するための手段】
【０００６】
本発明は、シートバックにヘッドレストを設けたシートにおいて、シートバックにヘッドレストを設けたシートにおいて、
前記シートバックの頂部における前記ヘッドレストにより隠れる位置であってシートバックの背面頂部より前方且つ離間位置に埋設された凹状部を有する成形容体状の指先挿入体と、
前記シートバックの背面と前記指先挿入体との間に設けたグリップ部と、
前記ヘッドレストにおける前記指先挿入体の上方に位置する部分に、形成されて前記指先挿入体の前記凹状部の開口部を露出する切欠き部と
を有することを特徴とする。
【０００７】
このシートにおいては、成形容体状の指先挿入体の凹状部がシートバックの頂部に埋設され、グリップ部がシートバックの背面から突出することがなく、乗員の乗り降りの際に、前席と後席との間の移動をスムーズに行うことができ、更には、凹状部をポケットとして機能させることができる。そして、シートバックの頂部に設けられた指先挿入体の上方に位置するヘッドレストには、指先挿入体の凹状部の開口部を露出する切欠き部が形成されているので、ヘッドレストに邪魔されることなく、凹状部内に指を入れ易く、これによって、乗り降り時にシートバックの頂部のグリップ部を乗員がつかみ易くなる。また、凹状部をポケットとして利用する場合には、物の出し入れが容易になる。
【０００８】
また、前記ヘッドレストの前記切欠き部は、前記ヘッドレストの背面であって下面の開口した横断面略凹形状であると好適である。
このような構成は、ヘッドレストのクッション性を損なうことなく、指先挿入体の凹状部の開口部を露出させ易い。
【０００９】
また、前記指先挿入体は、縫合連結の可能な軟質素材から容体状に成形されており、前記凹状部の前記開口部の周縁に形成された連結部は、前記シートバックのトリムカバーに設けられた前記指先挿入体挿入埋設用取付孔の周縁に縫着することにより、前記トリムカバーに連結されていると好適である。
このような構成を採用すると、指先挿入体とシートバックとの一体化を簡単且つ確実に達成させることができる。
【発明の効果】
【００１０】
本発明に係わるシートによれば、前席と後席との間の移動の障害になることがないアシストグリップの実現と、物を入れるためのポケット機能と、を兼ね備えることができる。
【図面の簡単な説明】
【００１１】
【図１】本発明に係るシートの第１の実施形態を示す斜視図である。
【図２】図１のＡ−Ａ線に沿う断面図である。
【図３】本発明に係るシートの第２の実施形態を示す要部拡大斜視図である。
【図４】図３のＢ−Ｂ線に沿う断面図である。
【発明を実施するための形態】
【００１２】
以下、図面を参照しつつ本発明に係るシートの好適な実施形態について詳細に説明する。
【００１３】
第１の実施形態
図１及び図２に示されるように、シートは、シートクッションＳＣに対して傾動自在なシートバックＳＢを具備し、このシートバックＳＢの上方にはヘッドレストＨＲが配置されている。
【００１４】
ヘッドレストＨＲは、例えば、合成樹脂が不織布にコーティングされた状態でプレスにより所定の形状に成形され、これによって保形性をもたせたトリムカバー３と、トリムカバー３内に注入された発泡液が硬化してなるパッド体２と、パッド体２内で固定されたヘッドレストフレーム１に形成されると共に、トリムカバー３から延出されたステー１ａとからなる。
【００１５】
シートバックＳＢは、例えば、合成樹脂が不織布にコーティングされた状態でプレスにより所定の形状に成形され、これによって保形性をもたせたトリムカバー１１と、トリムカバー１１内に装填させるパッド体１０と、パッド体１０内で固定されたシートバックフレーム２と、シートバックフレーム２の上端で横方向に延在するアッパーフレーム２ａに溶接により固定されると共に、上下方向に延在してステー１ａをアッパーフレーム２ａで支持するための左右一対の筒体５と、各筒体５内に差し込まれて係止させられると共に、上端にヘッド部６ａが形成されて、上部からステー１ａの差し込みを可能にする樹脂製の筒状のヘッドレスト支持体６と、から主として構成されている。
【００１６】
なお、パッド体１０は、トリムカバー１１内に注入された発泡液が硬化して一体成形される場合と、トリムカバー１１と別体に形成されて、トリムカバー１１内に挿着される場合とがある。本発明では、その両タイプの適用が可能である。
【００１７】
また、トリムカバー１１の上部には、筒状のヘッドレスト支持体６の差し込みを可能にする差込み孔７ｂが形成され、パッド体１０の頂部にも、ヘッドレスト支持体６の差し込みを可能にする差込み孔１０ｂが形成されている。そして、ヘッドレスト支持体６の差し込みを可能にするために、トリムカバー１１側の差込み孔７ｂとパッド体１０側の差込み孔１０ｂとの位置合わせがなされている。
【００１８】
シートバックＳＢの頂部１１Ｂにおける前記ヘッドレストにより隠れる位置であってシートバックＳＢの背面１１Ｂ頂部より前方且つ離間位置に凹状部を有する成形容体状の指先挿入体２０が埋設され、この指先挿入体２０と、前記シートバックの背面１１Ｂとの間にグリップ部Ｇが設けてある。
指先挿入体２０は、手Ｈの指Ｆの挿入を可能にする成形容体状の凹状部２０ｂが図１，２に示すように成形埋設されている。
前記グリップ部Ｇは、図２に示すように、成形容体状の凹状部２０ｂと、シートバックの背面１１Ｂを構成するトリムカバー１１と、  凹状部２０ｂとトリムカバー１１との間に介在するパッド体１０とから構成され、図２鎖線に示すように、乗員が手Ｈの指Ｆでつかみ易いように形成されている。そして、      指先挿入体２０の凹状部２０ｂの開口部２０ｃの周縁部には、フランジ状の連結部２０ａが形成されている。このような構成の指先挿入体２０は、トリムカバー１１との縫合連結の可能なエラストマーなどの軟質合成樹脂からなる軟質素材から容体状に成形されている。
【００１９】
シートバックＳＢの頂部１１Ｂを構成するトリムカバー１１の上部には、前記ヘッドレストにより隠れる位置であってシートバックＳＢの背面１１Ｂ頂部より前方且つ離間位置に指先挿入体２０の凹状部２０ｂの挿入埋設用取付孔７ａが形成され、この取付孔７ａは、トリムカバー１１の上部において差込み孔７ｂの後方に配置されている。パッド体１０の頂部にも、指先挿入体２０の凹状部２０ｂの挿入を可能にする挿通孔１０ａが形成され、この挿通孔１０ａは、パッド体１０の頂部において差込み孔１０ｂの後方に配置されている。そして、凹状部２０ｂの装着を可能にするために、トリムカバー１１側の取付孔７ａとパッド体１０側の挿通孔１０ａとの位置合わせがなされている。
【００２０】
指先挿入体２０の連結部２０ａは、トリムカバー１１の上部に設けられた取付孔７ａの周縁で縫合部Ｒにより縫着されることで、トリムカバー１１に連結されている。連結部２０ａは、トリムカバー１１の取付孔７ａを形成するために折り返された縫合端の厚み分だけ、指先挿入体２０の開口部２０ｃの上端縁から、凹状部２０ｂの底部方向にずれて設けられている。このような縫合により、トリムカバー１１の取付孔７ａの外観品質を向上させることができる。そして、指先挿入体２０とシートバックＳＢとの一体化を簡単且つ確実に達成させることができる。
【００２１】
このようにしてトリムカバー１１に縫着される指先挿入体２０は、軟質素材により成形されているため、手Ｈの指Ｆの力で変形し易い。従って、指先挿入体２０の変形によって周囲のトリムカバー１１が引っ張られることによりヘッドレスト支持体６のヘッド部６ａの周囲で差込み孔７ｂが見えたり、シワなどの外観不良が発生する。更には、指Ｆの力による指先挿入体２０の凹状部２０ｂの変形は、グリップ機能の剛性不足をももたらす。
【００２２】
そこで、指先挿入体２０の素材特性を生かしながらトリムカバー１１への縫着性とグリップ機能の安定性とを両立させるために、指先挿入体２０の凹状部２０ｂを保持するための樹脂製の支持プレート３０が利用される。この支持プレート３０は、凹状部２０ｂの嵌入を可能にする嵌入孔３０ｂと、各ヘッドレスト支持体６を挿入するための挿通孔３０ａと、が形成されている。支持プレート３０において、左右一対の挿通孔３０ａの後方に嵌入孔３０ｂが形成されている。
【００２３】
変形し難い樹脂で成形された支持プレート３０の各挿通孔３０ａ内にヘッドレスト支持体６が挿入されることで、支持プレート３０は、ヘッドレスト支持体６により横方向の移動が規制されている。これにより、ヘッドレスト支持体６に対する指先挿入体２０の横方向の移動を規制することができ、支持プレート３０の嵌入孔３０ｂ内に嵌入された凹状部２０ｂの変形を防止することができる。
【００２４】
トリムカバー１１に縫着される指先挿入体２０を軟質素材により成形させていても、トリムカバー１１への縫着性とグリップ機能の安定性とを両立させることができる。また、支持プレート３０に各挿通孔３０ａ及び嵌入孔３０ｂが設けられることにより組み立て作業性が向上する。
【００２５】
なお、パッド体１０は、トリムカバー１１内に注入された発泡液が硬化して一体成形される場合には、図２で示されるように、支持プレート３０は、パット体１０内に埋設される。パッド体１０とトリムカバー１１とが別体に形成される場合には、図示しないが、支持プレート３０は、パット体１０の頂部とトリムカバー１１の上部との間に介挿される。
【００２６】
さらに、指先挿入体２０の上方に位置するヘッドレストＨＲには、指先挿入体２０の凹状部２０ｂの開口部２０ｃを露出するための切欠き部４が形成されている。この切欠き部４は、ヘッドレストＨＲの背面８ｂであって下面８ａの開口した横断面略凹形状である。このような構成により、ヘッドレストＨＲのクッション性を損なうことなく、指先挿入体２０の凹状部２０ｂの開口部２０ｃを露出させ易い。切欠き部４は、ヘッドレストＨＲの背面側で凹状部２０ｂの横幅より広くなっており、下側に行くにつれて広くなっているので、十分な広さを確保しつつ、凹状部２０ｂの開口部２０ｃへ指Ｆを上から差し入れ易くなる。
【００２７】
このシートにおいては、成形容体状の指先挿入体２０の凹状部２０ｂがシートバックＳＢの頂部に埋設されているので、グリップ機能がシートバックＳＢの背面から突出することがないので、乗員の乗り降りの際に、前席と後席との間の移動をスムーズに行うことができ、更には、凹状部２０ｂをポケットとして機能させることができる。そして、シートバックＳＢの頂部に設けられた指先挿入体２０の上方に位置するヘッドレストＨＲには、指先挿入体２０の開口部２０ｃを露出する切欠き部４が形成されているので、ヘッドレストＨＲに邪魔されることなく、凹状部２０ｂ内に指を入れ易く、これによって、乗り降り時にシートバックＳＢの頂部を乗員がつかみ易くなる。また、指先挿入体２０をポケットとして利用する場合には、物の出し入れが容易になる。
【００２８】
第２の実施形態
ただし、第２の実施形態では、第１の実施形態と同一又は同等な構成部分には同一の符号を付し、重複する説明は省略する。
【００２９】
図３及び図４に示されるように、指先挿入体２０の凹状部２０ｂは、左右のヘッドレスト支持体６の間でアッパーフレーム２ａの前側に隣接して配置されている。すなわち、指先挿入体２０の凹状部２０ｂは、シートバックＳＢの頂部で左右のヘッドレスト支持体６の間に配置されると共に、パッド体１０内でアッパーフレーム２ａの前側に隣接して配置されている。
【００３０】
さらに、指先挿入体２０の凹状部２０ｂを保持するための樹脂製の支持プレート４０は、凹状部２０ｂの嵌入を可能にする嵌入孔４０ａと、各ヘッドレスト支持体６を挿入するための挿通孔４０ｂと、が形成されている。支持プレート４０において、嵌入孔４０ａの両側方に左右一対の挿通孔４０ｂが形成されている。
【００３１】
このような構成を採用すると、指先挿入体２０の凹状部２０ｂの左右及び後方への移動を、左右のヘッドレスト支持体６及びアッパーフレーム２ａによって容易且つ簡単に規制することができる。
【００３２】
本発明は、前述した実施形態に限定されないことは言うまでもない。例えば、前述した指先挿入体２０と支持プレート３０は、別体として成形されているが、前述した指先挿入体２０と支持プレート３０とが一体成形されたものであってもよい。なお、支持プレート４０も同様である。
【符号の説明】
【００３３】
１ａ…ステー、２…シートバックフレーム、２ａ…アッパーフレーム、４…切欠き部、６…ヘッドレスト支持体、７ａ…取付孔、８ａ…ヘッドレストの下面、８ｂ…ヘッドレストの背面、１０…パッド体、１１…トリムカバー、２０…指先挿入体、２０ａ…連結部、２０ｂ…凹状部、２０ｃ…開口部、３０…支持プレート、３０ａ…挿通孔、３０ｂ…嵌入孔、４０…支持プレート、４０ａ…嵌入孔、４０ｂ…挿通孔、ＨＲ…ヘッドレスト、Ｒ…縫合部、ＳＢ…シートバック、ＳＣ…シートクッション、Ｇ…グリップ部,Ｈ…手、Ｆ…指。
【図１】
0005642602.tif 000002
【図２】
0005642602.tif 000003
【図３】
0005642602.tif 000004
【図４】
0005642602.tif 000005